(57)【要約】【課題】使用済みのウエットティッシュや広告紙などが入る収納ポケット付きのウエットティッシュ包装体を低コストで量産できるようにする。【解決手段】袋基材１０は、ティッシュ２の上面側を受ける上面部１１と、ティッシュ２の下面部分を覆う下面部１２と、上面部１１の後方に連なって、下面部１２の外側を覆う連出片１３とを有する。下面部１２の端部の折り片１４を外側に折り返し連出してある。連出片１３と、下面部１２の連出端とを合掌状に熱溶着してなるセンターシール部２０を形成する。上面部１１の左右端縁１１ａ・１１ａと、下面部１２の左右端縁１２ａ・１２ａとを熱溶着してエンドシール部２１を形成する。連出片１３の左右端縁１３ａ・１３ａと、下面部１２の左右端縁１２ｂ・１２ｂとを熱溶着してサイドシール部２２を形成する。連出片１３と下面部１２との間に、前方が開口する収納ポケット７をつくる。【選択図】        図１
2004196303.tif 000002
【特許請求の範囲】
【請求項１】
束ねたウエットティッシュ２と、ティッシュ２を包装する扁平な四角状の袋３と、ティッシュ２を取り出すために袋３の上面に設けられた取出口４とを備え、袋３の下面側に収納ポケット７を有するウエットティッシュ包装体であって、
ウエットティッシュ包装体を構成する袋基材１０が、熱融着性と非透水性と可撓性とを有する長方形状のプラスチックフィルムであって、ティッシュ２の上面側を受ける上面部１１と、上面部１１の前方に連なってティッシュ２の下面部分を覆う下面部１２と、上面部１１の後方に連なって下面部１２の外側を覆う連出片１３とを有しており、
連出片１３と、下面部１２の連出端に折り返した折り片１４との対向面１３ｃ・１４ｃとが合掌状に熱溶着されており、
上面部１１の左右端縁１１ａ・１１ａと、下面部１２の左右端縁１２ａ・１２ａとが熱溶着されているとともに、連出片１３の左右端縁１３ａ・１３ａと、下面部１２の左右端縁１２ｂ・１２ｂとが熱溶着されており、
連出片１３と下面部１２との間に、後方および左右の三方周縁が閉じられて、前方が開口する収納ポケット７が形成されていることを特徴とするウエットティッシュ包装体。
【請求項２】
束ねたウエットティッシュ２と、ティッシュ２を包装する扁平な四角状の袋３と、ティッシュ２を取り出すために袋３の上面に設けられた取出口４とを備え、袋３の下面側に収納ポケット７を有するウエットティッシュ包装体であって、
ウエットティッシュ包装体を構成する袋基材１０が、熱融着性と非透水性と可撓性とを有する長方形状のプラスチックフィルムであって、ティッシュ２の上面側を受ける上面部１１と、上面部１１の前方に連なってティッシュ２の下面前方部分を覆う前方下面部２６と、上面部１１の後方に連なってティッシュ２の下面後方部分を覆う後方下面部２７と、後方下面部２７に連なって前方下面部２６の外側を覆う連出片１３とを有しており、
連出片１３と、前方下面部２６の連出端に折り返した折り片１４との対向面１３ｃ・１４ｃとが合掌状に熱溶着されており、
前後の下面部２６・２７の左右端縁２６ａ・２７ａと、上面部１１の左右端縁１１ａ・１１ａとが熱溶着されているとともに、連出片１３の左右端縁１３ａ・１３ａと、前方下面部２６の左右端縁２６ｂ・２６ｂとが熱溶着されており、
連出片１３と前方下面部２６との間に、後方および左右の三方周縁が閉じられて、前方が開口する収納ポケット７が形成されていることを特徴とするウエットティッシュ包装体。
【請求項３】
連出片１３が、透明ないし半透明である請求項１又は２記載のウエットティッシュ包装体。
【請求項４】
収納ポケット７の開口６において、連出片１３の連出端部が内側に折り返されている請求項１又は２又は３記載のウエットティッシュ包装体。
【発明の詳細な説明】
【０００１】
【発明の属する技術分野】
本発明は、収納ポケットを有するウエットティッシュ包装体に関する。ここでの収納ポケットは、広告紙や名刺などを入れたり、使用済みのウエットティッシュを入れたりするために存在する。
【０００２】
【従来の技術】
特許文献１のティッシュ包装体では、ティッシュが収納された本体部の一側面にビニール袋を貼り付けることにより（図１、図２参照）、あるいは本体部の内部を仕切ることにより（図３参照）、収納ポケットを形成してある。
【０００３】
【特許文献１】
特開２００２−３０２１７２号公報（段落番号０００４、図１−３）
【０００４】
【発明が解決しようとする課題】
特許文献１の図１および図２の形態では、ティッシュを収納するための本体部と、ビニール袋とをそれぞれ別々に成形する必要がある。このため、本体部とビニール袋とを成形した後、ビニール袋を接合するという組立手順を要し、成形加工や組立加工のコストアップを招き、生産性の低下を来す。
【０００５】
特許文献１の図図には、一枚のフィルムからなる袋状の成形品が記載されており、これによればパーツごとの成形作業や組立作業の手間が不要となるため、生産性の向上が期待できる。但し、特許文献１では、その段落番号０００４において、通常のポケットティッシュの包装工程において、ビニールの幅を広くして二重になる部分を作り、ごみ収納スペースを作る、と記載されているのみであり、実用化に向けた具体的取り組みまでは、何ら開示されていない。
【０００６】
本発明の目的は、使用済みのウエットティッシュや広告紙などが収納される収納ポケットを備えたウエットティッシュ包装体において、包装体の全体を一枚のプラスチックフィルムで成形することにより、パーツごとの成形作業や組立作業の手間を抑えて、コストダウンと生産性の向上とを図ることにある。
【０００７】
【課題を解決するための手段】
本発明に係るウエットティッシュ包装体は、図１ないし図３に示すごとく、束ねたウエットティッシュ２と、ティッシュ２を包装する扁平な四角状の袋３と、ティッシュ２を取り出すために袋３に設けられた取出口４とを備えており、袋３の下面側に収納ポケット７を有する。取出口４は、袋３の上面中央に設け、取出口４を蓋体５で開閉自在に閉じることができる。
【０００８】
袋基材１０は、熱融着性と非透水性と可撓性とを有する長方形状のプラスチックフィルムであって、図４に示すごとく、ティッシュ２の上面側を受ける上面部１１と、上面部１１の前方に連なってティッシュの下面部分を覆う下面部１２と、上面部１１の後方に連なって下面部１２の外側を覆う連出片１３とを有する。
【０００９】
そして、図１および図４に示すごとく、連出片１３と、下面部１２の連出端に折り返した折り片１４との対向面１３ｃ・１４ｃが合掌状に熱溶着されている。符号２０が、そのセンターシール部である。
【００１０】
上面部１１の左右端縁１１ａ・１１ａと、下面部１２の左右端縁１２ａ・１２ａとが熱溶着されているとともに（エンドシール部２１）、連出片１３の左右端縁１３ａ・１３ａと、下面部１２の左右端縁１２ｂ・１２ｂとが熱溶着されている（サイドシール部２２）。かくして、連出片１３と下面部１２との間に、後方および左右の三方周縁が閉じられて、前方が開口する収納ポケット７が形成されている。
【００１１】
また、本発明に係るウエットティッシュ包装体は、図６および図７に示すごとく、束ねたウエットティッシュ２と、ティッシュ２を包装する扁平な四角状の袋３と、ティッシュ２を取り出すために袋３に設けられた取出口４とを備え、袋３の下面側に収納ポケット７を有する。取出口４は、袋１の上面中央に設け、取出口４を蓋体で開閉自在に閉じることができる。
【００１２】
ウエットティッシュ包装体１を構成する袋基材１０は、熱融着性と非透水性と可撓性とを有する長方形状のプラスチックフィルムであって、図８に示すごとく、ティッシュ２の上面側を受ける上面部１１と、上面部１１の前方に連なってティッシュ２の下面前方部分を覆う前方下面部２６と、上面部１１の後方に連なってティッシュ２の下面後方部分を覆う後方下面部２７と、後方下面部２７に連なって前方下面部２６の外側を覆う連出片１３とを有する。
【００１３】
そして、図７および図８に示すごとく、連出片１３と、前方下面部２６の連出端に折り返した折り片１４との対向面１３ｃ・１４ｃとが合掌状に熱溶着されており（センターシール部２０）、前後の下面部２６・２７の左右端縁２６ａ・２７ａと、上面部１１の左右端縁１１ａ・１１ａとが熱溶着されているとともに（エンドシール部２１）、連出片１３の左右端縁１３ａ・１３ａと、前方下面部２６の左右端縁２６ｂ・２６ｂとが熱溶着されている（サイドシール部２２）。かくして、連出片１３と前方下面部２６との間に、後方および左右の三方周縁が閉じられて、前方が開口する収納ポケット７が形成されている。
【００１４】
図１および図７に示すごとく、広告紙８や名刺等を収納ポケット７内に入れる場合には、少なくとも連出片１３が透明ないし半透明であることが望まれる。収納ポケット７からの収納物の不用意な脱落を防止することを目的として、更に、図１０の折り片３０に示すごとく、収納ポケット７の開口６において、連出片１３の連出端部が内側に折り返されていることが望ましい。
【００１５】
【発明の作用効果】
この種のポケットタイプのウエットティッシュにおいては、使用後のウエットティッシュの処理が問題になる。使用後のティッシュは濡れているため、場所を選ばず放棄されがちであり、自然環境を汚染するところに大きな問題があった。これに対して、本発明によれば、ウエットティッシュを包装する袋３に収納ポケット７を設けて、この収納ポケット７に使用済みのティッシュを収めることができるようにしたから、使用済みのティッシュが無作法に放棄されること、およびそれに起因する自然環境の汚染をよく防ぐことができる。
【００１６】
収納ポケット７内には、使用済みのウエットティッシュに限らず、図１および図７に示すごとく、広告紙８等の紙媒体を入れることもできる。この場合には、ウエットティッシュ包装体１の全体が広告媒体となる。また、収納ポケット７内に名刺を入れることができ、これによれば、包装体１をゴルフコンペの景品などとして使用できる。
【００１７】
本発明は、ウエットティッシュ包装体１の全体が、１枚のプラスチックフィルムを折ってヒートシールすることにより得られるので、パーツごとの成形作業や組立作業の手間を抑えて、コストダウンと生産性の向上とを図ることができる。従って、ウエットティッシュ包装体１を安価に大量生産できる利点がある。
【００１８】
特許文献１の図３に示す形態のごとく、ポケットと袋とが連通していると、ポケットの開口からウエットティッシュに含浸の水分が蒸発し易く、ウエットティッシュが乾燥しやすい。その点、本発明では、センターシール部２０により収納ポケット７と袋３とが完全に仕切られているので、袋３内を密封状に包装できるため、ウエットティッシュ２が乾燥したり、変質する不具合がない。使用済みのウエットティッシュに付着した汚れが、袋３内のウエットティッシュ２に移行するおそれもない。
【００１９】
連出片１３が、透明ないし半透明に形成されていると、収納ポケット７内の収容物を外側から視認できる。従って、収納ポケット７内に広告紙８や名刺等を入れて、ウエットティッシュ包装体１の全体を広告媒体とする場合に、とくに有用である。
【００２０】
図３又は図６に示すごとく、収納ポケット７の開口６に、連出片１３の連出端部が内側に折り返されていると、その折り片３０で、広告紙や使用済みのティッシュ等の収納物が不用意に脱落することをよく防止できる。
【００２１】
【発明の実施の形態】
（第１実施例）  図１ないし図５は、本発明に係るウエットティッシュ包装体の第１実施例を示す。このウエットティッシュ包装体１は、図１ないし図３に示すごとく、複数枚を折り畳んで重ねた状態に束ねたウエットティッシュ２と、ティッシュ２の全体を包装する扁平な左右横長四角形の袋３と、ティッシュ２を取り出すために袋３の上面に設けた取出口４と、取出口４を開閉する蓋体５とを備えている。袋２の下面には、前方向に開口６を有する収納ポケット７を設けてある。この収納ポケット７内には広告紙８が挿入されている。広告紙８に替えて名刺を入れることもできる。さらに、収納ポケット７内に使用済みのティッシュ２を収めることもできる。蓋体５は、プラスチックフィルムからなるフラップ状の蓋であり、裏面の外周縁に塗布された粘着剤の粘着力により、取出口４を密封状に閉止する。
【００２２】
包装体１を構成する袋基材１０は、熱融着性、非透水性および可撓性を有する前後方向に長い長方形状のプラスチックフィルムからなる。具体的には、ポリプロピレン、ポリエチレン、ポリエチレンテレフタレートなどのフィルムや、それらの複合フィルムを挙げることができる。ポリプロピレン、ポリエチレン、ポリエチレンテレフタレート等にアルミ箔フィルムを積層した複合フィルムであってもよく、真空蒸着フィルムであってもよい。
【００２３】
袋基材１０は、図４の展開状態において、長円形の取出口４を有する中央の上面部１１と、上面部１１の前方に連なる下面部１２と、上面部１１の後方に連なる連出片１３とを有し、下面部１２の前端部が上向きに折り返される折り片１４に設定されている。連出片１３の後端部が上向きに折り返される折り片３０に設定されている。上面部１１はティッシュ２の上面２ａ側を受け、下面部１２は上面部１１の下方に折り返されてティッシュ２の下面２ｂ側を覆い、連出片１３は上面部１１の下方に折り返されて下面部１２の外側を覆う。
【００２４】
そして、連出片１３における折り返し基端側の内面に、下面部１２の連出端において外側下面に折り返した折り片１４の外面を重ね、両片１３・１４の対向面１３ｃ・１４ｃを合掌状に熱溶着（ヒートシール）し、図５に示すごとく、左右方向に走るセンターシール部２０を形成した。この状態における袋中間品１７は、左右両端に開口１６を有する角筒体状に仕上がっており、センターシール部２０から連出片１３が、下面部１２の下側で前方に向けて片持ち状に連出されている。実際には、長方形状の袋基材１０を、束ねたウエットティッシュ２に巻き付けながら、連出片１３と折り片１４の対向面１３ｃ・１４ｃをヒートシールして、図５に示す袋中間品１７をつくる。
【００２５】
次いで、袋中間品１７を構成する上下面部１１・１２の左右端縁と、連出片１３の左右端縁とを重ねて同時にヒートシールし、図１に示すごとく、下面部１１と連出片１３との間に、前面側に開口６を有する収納ポケット７を形成した。具体的には、図４（ｂ）に示すごとく上面部１１の内面の左右端縁１１ａ・１１ａと、下面部１２の内側面の左右端縁１２ａ・１２ａとをヒートシールして、袋中間品１７の開口１６を閉じる左右のエンドシール部２１を形成し、同時に下面部１２の外面の左右端縁１２ｂ・１２ｂ（図４（ａ））と連出片１３の内面の左右端縁１３ａ・１３ａ（図４（ｂ））とをヒートシールして、収納ポケット７の左右端部を閉じるサイドシール部２２を形成した。ここでは、下面部１２における折り返し基端側の外面に、連出片１３の連出端において内側上面に折り返した折り片３０の外面を重ねて、連出片１３の内面の左右端縁と折り片３０の左右端縁とをヒートシールした。
【００２６】
かくして、図１および図５に示すごとく、センターシール部２０とサイドシール部２２とで後ろ側と左右の三周縁が閉じられて、前側が開口する収納ポケット７付きのウエットティッシュ包装体１を得た。収納ポケット７の開口６には、折り片３０が下面部１２側に内折りされている。ここでの収納ポケット７は、袋３の下面の全面にわたって形成されている。
【００２７】
以上のような構成からなるウエットティッシュ包装体１によれば、蓋体５を除く包装体１の全体が、１枚のプラスチックフィルム製の袋基材１０から成形されているので、パーツ毎の成形作業やこれらの組立作業を最小限に抑えることできた。従って、製作コストダウンと生産性の向上とを図ることができる。
【００２８】
図１に示すごとく、収納ポケット７に広告紙８や名刺等を入れる場合には、収納ポケット７の下面を構成する連出片１３を透明ないし半透明とする。すなわち、透明のプラスチックフィルムからなる袋基材１０において、連出片１３の部分を印刷を省略しておくことが望ましい。これによれば、収納ポケット７に入れた広告紙８や名刺等が外部から視認できるので、このウエットティッシュ包装体１は広告媒体として好適なものとなる。
【００２９】
収納ポケット７の下面を区画する連出片１３の連出端部に、折り片３０を下面部１２側に内折りしていると、折り片３０の内方向への突出分だけ収納ポケット７の開口６の開口寸法を小さくできるので、収納物の収納ポケット７からの不用意な脱落を効果的に阻止できる。とくに、図３に示すごとく、広告紙８や名刺等の収納ポケット７の開口に臨む前端部が、折り片３０と連出片１３とで挟持されるように広告紙８等を入れておくと、不用意な脱落を確実に防止できる。
【００３０】
（第２実施例）  図６ないし図９は、本発明に係るウエットティッシュ包装体の第２実施例を示す。この場合の収納ポケット７は、袋３の前後方向の中央部から前端部にわたって設けられていて、収納ポケット７の前後方向の奥行き寸法が、第１実施例のそれよりも小さく設定されている。
【００３１】
その余の構成は第１実施例と実質的に同じである。すなわち、包装体１を構成する袋基材１０は、熱融着性、非透水性および可撓性を有する前後方向に長い長方形状のプラスチックフィルムからなる。具体的には、ポリプロピレン、ポリエチレン、ポリエチレンテレフタレートなどのフィルムや、それらの複合フィルムを挙げることができる。ポリプロピレン、ポリエチレン、ポリエチレンテレフタレート等にアルミ箔フィルムを積層した複合フィルムであってもよく、真空蒸着フィルムであってもよい。
【００３２】
袋基材１０は、図８の展開状態において、長円形の取出口４を有する中央の上面部１１と、上面部１１の前方に連なってティッシュ２の下面前方部分を覆う前方下面部２６と、上面部１１の後方に連なってティッシュ２の下面後方部分を覆う後方下面部２７と、後方下面部２７に連なって前方下面部２６の外側を覆う連出片１３とを有し、前方下面部２６の前端部が上向きに折り返される折り片１４に設定されている。連出片１３の後端部が上向きに折り返される折り片３０に設定されている。
【００３３】
そして、図９に示すごとく、連出片１３の連出基端部を折り片１４を重ね、長編１３・１４の対向面１３ｃ・１４ｃを合掌状に熱溶着して、左右方向に走るセンターシール部２０を形成した。この状態において、袋中間品１７は、左右両端に開口１６を有する角筒状に形成されており、センターシール部２０から連出片１３が下方向へ片持ち状に伸びている。
【００３４】
次いで、袋中間品１７を構成する上下面部１１・２６・２７の左右端縁と、連出片１３の左右端縁とを同時にヒートシールして、図７に示すごとく、前面側に開口６を有する収納ポケット７を形成した。具体的には、上面部１１の内面の左右端縁１１ａ・１１ａ（図８（ｂ））と、前後方の下面部２６・２７の内面の左右端縁２６ａ・２７ａとをヒートシールして、袋中間品１７の開口１６を閉じるエンドシール部２１を形成した。これと同時に、前方下面部２６の外面の左右端縁２６ｂ・２６ｂ（図８（ａ））と連出片１３の内面の左右端縁１３ａ・１３ａ（図８（ｂ））とをヒートシールして、収納ポケット７の左右端部を閉じるサイドシール部２２を形成した。ここでは、下面部１２における折り返し基端側の外面に、連出片１３の連出端において内側上面に折り返した折り片３０の外面を重ねて、連出片１３の内面の左右端縁と折り片３０の左右端縁とをヒートシールした。かくして、図７に示すごとく、センターシール部２０とサイドシール部２２とで後ろ側および左右が閉じられて、前方が開口する収納ポケット７付きのウエットティッシュ包装体１を得た。収納ポケット７の開口６には、折り片３０が下面部１２側に内折りされている。
【００３５】
以上のような構成からなるウエットティッシュ包装体１によれば、蓋体５を除く包装体１の全体が、１枚のプラスチックフィルム製の袋基材１０から成形されているので、パーツ毎の成形作業やこれらの組立作業を最小限に抑えることできた。従って、製作コストダウンと生産性の向上とを図ることができる。
【００３６】
図６に示すごとく、収納ポケット７に広告紙８や名刺等を入れる場合には、収納ポケット７の下面を構成する連出片１３を透明ないし半透明とする。すなわち、透明のプラスチックフィルムからなる袋基材１０において、連出片１３の部分を印刷を省略しておくことが望ましい。これによれば、収納ポケット７に入れた広告紙８や名刺等が外部から視認できるので、このウエットティッシュ包装体１は広告媒体として好適なものとなる。
【００３７】
収納ポケット７の下面を区画する連出片１３の連出端部に、折り片３０を下面部１２側に内折りしていると、折り片３０の内方向への突出分だけ収納ポケット７の開口６の開口寸法を小さくできるので、収納物の収納ポケット７からの不用意な脱落を効果的に阻止できる。とくに、図６に示すごとく、広告紙８や名刺等の収納ポケット７の開口に臨む前端部が、折り片３０と連出片１３とで挟持されるように広告紙８等を入れておくと、不用意な脱落を確実に防止できる。
【００３８】
収納ポケット７の奥行き寸法は、収納物の外形寸法に合わせて大小に調整することができる。すなわち、名刺を入れるときには、収納ポケット７は名刺大にすれば足り、広告紙がこれよりも小さい場合には、収納ポケット７も小さいもので足りる。
【図面の簡単な説明】
【図１】第１実施例に係るウエットティッシュ包装体の全体形状を示す斜視図
【図２】第１実施例に係るウエットティッシュ包装体の全体形状を示す斜視図
【図３】ウエットティッシュ包装体の縦断側面図
【図４】第１実施例に係る袋基材の展開図
【図５】第１実施例に係るウエットティッシュ包装体の袋中間品を示す斜視図
【図６】第２実施例に係るウエットティッシュ包装体の縦断側面図
【図７】第２実施例に係るウエットティッシュ包装体の全体形状を示す斜視図
【図８】第２実施例に係る袋基材の展開図
【図９】第２実施例に係るウエットティッシュ包装体の袋中間品を示す斜視図
【符号の説明】
１  ウエットティッシュ包装体
２  ウエットティッシュ
２ａ  ウエットティッシュの上面
２ｂ  ウエットティッシュの下面
３  袋
４  取出口
５  蓋体
７  収納ポケット
１０  袋基材
１１  上面部
１２  下面部
１３  連出片
１４  折り片
２０  センターシール部
２１  エンドシール部
２２  サイドシール部
【図１】
2004196303.tif 000003
【図２】
2004196303.tif 000004
【図３】
2004196303.tif 000005
【図４】
2004196303.tif 000006
【図５】
2004196303.tif 000007
【図６】
2004196303.tif 000008
【図７】
2004196303.tif 000009
【図８】
2004196303.tif 000010
【図９】
2004196303.tif 000011